(57)【要約】【課題】製作コストが安く、熟練した技術や高価な専用機を必要とすることなく、内側・外側ガイドレールが簡単に且つ作業性良く装着できる弾球遊技機を提供する。【解決手段】盤面部品が装着される遊技盤５面の遊技部５ａを囲う内側のガイドレール２８と発射されたパチンコ球を該遊技部５ａに誘導する外側のガイドレール２５とを備えてなる弾球遊技機Ｐであって、前記内側のガイドレール２８及び外側のガイドレール２５の少なくとも一つを合成樹脂により成形すると共にそのガイドレール本体２８ａの長手方向に沿った後側縁に複数の固定部材３１を一体成形により成形し、前記各固定部材３１を前記遊技盤５面に開設された各取付孔３４に嵌合することによりそのガイドレール２５，２８を前記遊技盤５面に装着するようにした。【選択図】図４
2005270119.tif 000002
【特許請求の範囲】
【請求項１】
入賞装置や風車等の盤面部品が装着される遊技盤面の遊技部を囲う内側のガイドレールと発射されたパチンコ球を該遊技部に誘導する外側のガイドレールとを備えてなる弾球遊技機であって、前記内側のガイドレール及び外側のガイドレールの少なくとも一つを合成樹脂により成形すると共にそのガイドレール本体の長手方向に沿った後側縁に後方へ突出する複数の固定部材を一体成形により成形し、前記各固定部材を前記遊技盤面に開設された各取付孔に嵌合することによりそのガイドレールを前記遊技盤面に装着するようにしたことを特徴とする弾球遊技機。
【請求項２】
合成樹脂により成形される前記内側のガイドレールであって、そのガイドレール本体の上端部に前記外側のガイドレールに誘導されて前記遊技部に打ち込まれたパチンコ球の逆戻りを防ぐ戻り球防止装置の本体部を一体成形により成形した請求項１記載の弾球遊技機。
【請求項３】
合成樹脂により成形される前記内側のガイドレールであって、そのガイドレール本体の下端部の後側縁に前記遊技盤面に当接する飾り板部材を張設し、前記飾り板部材に前記遊技盤に開設されたアウト球口と連通するアウト球連通口を開設し、前記ガイドレール本体には前記アウト球連通口と対応してパチンコ球が該アウト球連通口に誘導される二条の誘導溝を並設し、前記両誘導溝間の幅はそれら誘導溝内を流れるパチンコ球が互いに接触しない寸法に設定した請求項１記載の弾球遊技機。
【発明の詳細な説明】
【技術分野】
【０００１】
この発明は、入賞装置や風車などの盤面部品が装着される遊技部を囲ったり、発射されたパチンコ球を遊技部に誘導するガイドレールを備えてなる弾球遊技機に関するものである。
【背景技術】
【０００２】
従来、弾球遊技機であるパチンコ遊技機では、この種のガイドレールはステンレスといった金属製の帯板により成形されており、長手方向に沿った後側縁部に複数の取付け穴が開設されている。一方、特殊形状の金属片を二つに折り重ねてレール取付け部材を成形し、このレール取付け部材を前記各取付け穴に挿通する。そして、遊技盤面の所定位置に開設される取付孔に圧入することによって遊技盤面にガイドレールが装着される（例えば、特許文献１参照。）。このようなガイドレールの取付は、特にレール取付け部材がガイドレールとは別体に設けられていることから装着が難しく、例えば熟練した作業者がガイドレールを遊技盤面の所定位置にあてがい、各レール取付け部材を各取付孔に調整しながら打ち込むようにするか、作業性を考慮してレールの自動装着機といった専用機により各取付孔に各レール取付け部材を同時に打ち込むようにしている。
【特許文献１】特開２００１−２９３１５８号公報(第２−３頁、図１)
【発明の開示】
【発明が解決しようとする課題】
【０００３】
しかしながら、前記特許文献１のパチンコ遊技機では、ガイドレール及びレール取付け部材のいずれもが金属板から成形されることから、材料費や製作コストが高い。しかも、ガイドレールとレール取付け部材とが別個に成形されている関係上、レール取付け部材を遊技盤面の取付孔に打ち込むに熟練を必要とする。一方、レールの自動装着機といった専用機を使用すれば、前記各レール取付け部材の打ち込みは簡単に能率良く行なえることになるが、専用機はそれ自体大型で非常に高価なものであり、高い設備コストが必要になるという課題がある。
【０００４】
そこで、本発明は上記課題に鑑みてなされたもので、製作コストが安く、また熟練した技術や高価な専用機を必要とすることなく、慣れない作業者であってもガイドレールが簡単に且つ作業性良く装着できる弾球遊技機を提供することを目的とするものである。
【課題を解決するための手段】
【０００５】
かかる目的を達成するため本発明に係る弾球遊技機は、入賞装置や風車等の盤面部品が装着される遊技盤面の遊技部を囲う内側のガイドレールと発射されたパチンコ球を該遊技部に誘導する外側のガイドレールとを備えてなる弾球遊技機であって、前記内側のガイドレール及び外側のガイドレールの少なくとも一つを合成樹脂により成形すると共にそのガイドレール本体の長手方向に沿った後側縁に後方へ突出する複数の固定部材を一体成形により成形し、各固定部材を遊技盤面に開設された各取付孔に嵌合することによりそのガイドレールを遊技盤面に装着するようにした構成からなる。
【０００６】
この際、合成樹脂により成形される前記内側のガイドレールであって、そのガイドレール本体の上端部に前記外側のガイドレールに誘導されて遊技部に打ち込まれたパチンコ球の逆戻りを防ぐ戻り球防止装置の本体部を一体成形により成形することが好ましい。
【０００７】
また、合成樹脂により成形される前記内側のガイドレールであって、そのガイドレール本体の下端部の後側縁に遊技盤面に当接する飾り板部材を張設し、飾り板部材に遊技盤に開設されたアウト球口と連通するアウト球連通口を開設し、前記ガイドレール本体にはアウト球連通口と対応してパチンコ球が該アウト球連通口に誘導される二条の誘導溝を並設し、両誘導溝間の幅はそれら誘導溝内を流れるパチンコ球が互いに接触しない寸法に設定することが好ましい。
【発明の効果】
【０００８】
本発明に係る弾球遊技機は、内側のガイドレール及び外側のガイドレールの少なくとも一つを合成樹脂により成形すると共にそのガイドレール本体の長手方向に沿った後側縁に複数の固定部材を一体成形により成形するようにしたので、ガイドレールが一部材で済み、製作コストを低廉になし得る。また、固定部材がガイドレール本体に一体成形により成形されることから、各固定部材を打ち込むことに熟練した技術は必要なく、慣れない作業者であっても簡単に能率良く行なえる。また、専用機も不要となり高い設備コストを考慮する必要もないという効果が有る。
【０００９】
また、合成樹脂により成形される内側のガイドレールであって、そのガイドレール本体の上端部に外側のガイドレールに誘導されて遊技部に打ち込まれたパチンコ球の逆戻りを防ぐ戻り球防止装置の本体部を一体成形により成形するようにすれば、内側のガイドレールを遊技盤面に装着するのみで、戻り球防止装置も同時に取り付けられることになるので、その取付の手間や位置調整が不要になるなど作業性が向上するという効果が有る。
【００１０】
更に、合成樹脂により成形される内側のガイドレールであって、そのガイドレール本体の下端部の後側縁に遊技盤面に当接する飾り板部材を張設し、飾り板部材に遊技盤に開設されたアウト球口と連通するアウト球連通口を開設し、ガイドレール本体にはアウト球連通口と対応してパチンコ球がアウト球連通口に誘導される二条の誘導溝を並設し、両誘導溝間の幅はそれら誘導溝内を流れるパチンコ球が互いに接触しない寸法に設定するようにすれば、アウト球口に入るパチンコ球が押し合って球噛みを生じそのアウト球口付近で球詰りを起こす危険性もほとんどないという効果が有る。
【発明を実施するための最良の形態】
【００１１】
以下、本発明に係る弾球遊技機の実施の形態を図面に基づき説明する。なお、弾球遊技機には、例えばパチンコ遊技機、アレンジボール機または雀球遊技機があるが、本発明にあっては、一例としてパチンコ遊技機について説明する。図１は本発明に係るパチンコ遊技機の正面図、図２は遊技盤が装着された内枠の斜視図、図３は前枠と内枠と遊技盤とを分解した状態を示す斜視図である。図において、１はパチンコ遊技機Ｐの外枠であって木製からなり、縦長方形枠状に成形されている。また、その前面に額縁状の内枠２がその一側上下部を前記外枠１の一側上下部に設けた軸支部３，３に軸支して回動自在に装着されている。この内枠２は合成樹脂製であってその上部中央に略円形の窓開口４が開設されている。内枠２の裏面に遊技盤５が配置され、その前面の遊技部５ａが前記窓開口４に臨むようになっている。
【００１２】
前記内枠２の前側には、遊技盤５前面の遊技部５ａを覆い２枚の透明板であるガラス板６を備えた透明板保持枠７、遊技盤５の下部を覆う前面板８及び該前面板８の下方に位置する下部前板９とが、いずれもその一側上下部を内枠２の一側上下間に所定の間隔離して設けた複数の軸支部１０に軸支して回動自在に装着される。前記前面板８の前面に、貯留される弾球であるパチンコ球を発射レール１１の打球発射部Ａに供給するための打球供給皿１２が装着される。また、前記下部前板９の前面に前記打球供給皿１２から溢れるパチンコ球を貯留する下部球受皿１３が装着されている。１４は下部前板９の前面一側に設けられ、打ち出されるパチンコ球の打球力の強弱を調節する操作ハンドルである。
【００１３】
前記遊技部５ａには、各種盤面部品が装着されている。すなわち、そのほぼ中央に表示部１５ａを備えた表示装置１５が装着され、その下方にパチンコ球の入賞により前記表示部１５ａの文字、数字、図形等の情報を変動表示させる始動入賞口１６が配設される。更に、その下方に、前記変動した情報が一定の時間経過後に停止して特定の情報（例えば「７７７」）を示し、遊技者にとって有利な特別遊技状態になったとき、一定の条件の下で開閉扉１７ａを所定回数開成させ一度に多くの入賞球が得られる入賞装置１７が配設されている。前記始動入賞口１６は、パチンコ球が入賞し難い起立またはパチンコ球が入賞し易い傾動位置に自在に変換可能な一対の可動翼片１８，１８を備えている。
【００１４】
更に、前記始動入賞口１６の両側に一般入賞口１９が配設され、これら一般入賞口１９の上方であって適宜位置に回転自在に装着され流下するパチンコ球の流れを変えて面白みを出させるための風車２０が装着されている。更にまた、遊技部５ａの下部には、遊技部５ａを流下して前記始動入賞口１６、一般入賞口１９などに入賞しなかったパチンコ球をアウト球として遊技盤５の後方へ回収するアウト球口２１が開設されている。
【００１５】
前記内枠２の外周縁には枠部２２が設けられると共にその内側に基板部２３が張設されている。そして、この基板部２３に前記窓開口４が開設されることとなる。図３に示すように、窓開口４の内周縁であってその上部の一部右側を含めほぼ左側半分に亘りレール案内溝２４が成形され、該レール案内溝２４に外側のガイドレール２５がほぼ円弧状に取着される。一方、窓開口４の内周縁であってその右側に円弧状の内側のレール部２６が基板部２３に一体に成形され、そのままレールの機能を果すようになっている。前記外側のガイドレール２５の下端部はファール球排出口２７を介して発射レール１１に連なるようになっている。
【００１６】
一方、遊技盤５面には、その左側に前記内側のレール部２６とその下端部で連なるようにして内側のガイドレール２８が装着される。そして、遊技盤５を内枠２の裏側から装着したとき、遊技盤５面に内側のガイドレール２８と内側のレール部２６及び外側のガイドレール２５とが連続した渦巻状に配置されることになる。また、内側のガイドレール２８と外側のガイドレール２５との間に球飛走通路２９が成形されると共にその内側のガイドレール２８の上端部すなわち終端位置に前記遊技部５ａと連なる球放出口３０が成形される。これにより、発射レール１１から打ち出されたパチンコ球は、外側のガイドレール２５に誘導されつつ球飛走通路２９を飛走して球放出口３０から遊技部５ａに打ち込まれることになる。
【００１７】
図４、図５に示すように前記内側のガイドレール２８は合成樹脂により成形され、帯状のガイドレール本体２８ａの長手方向に沿った後側縁に、遊技盤５面に装着するための複数の固定部材３１が一体成形により成形されている。固定部材３１は、ガイドレール本体２８ａに対し後方へほぼ直角に突出しており、後端部に二股状の係止片３２，３２が設けられている。これら係止片３２の先端に外側を向く爪部３３が突設され、両爪部３３，３３の頂部間の間隔は遊技盤５面に貫設された取付孔３４の内径よりもやや大きく設定され、また、固定部材３１の長さ寸法は遊技盤５の厚み寸法よりも僅かに短く設定される。
【００１８】
そして、各固定部材３１を遊技盤５面の各取付孔３４にあてがい、そのまま打ち込んで圧入することにより各固定部材３１が各取付孔３４に簡単に嵌合される。嵌合された状態では、両係止片３２が取付孔３４の内周面を押圧して抜け止めが図れることから、内側のガイドレール２８がしっかりと固定される。このように、固定部材３１がガイドレール本体２８ａに一体成形により成形されていることから、各取付孔３４に各固定部材３１を打ち込むに熟練した技術や専用機は必要なく、慣れない作業者であってもその作業が簡単に能率良く行なえる。また、この場合、固定部材３１は比較的太くなり、同時にこれに対応する遊技盤５面の取付孔３４も内径が大きくなる。よって、これら取付孔３４を加工するドリルもその分外径が大きくなって太くなることから、工具の耐久性が向上することにもなる。
【００１９】
また、前記各固定部材３１は、いずれもその後端部が遊技盤５の裏面から後側へ突出することがないから、機構板（図示せず。）などの裏面部品の邪魔になるようなことがない。また、内側のガイドレール２８を取り外す場合は、遊技盤５の裏側から各取付孔３４内に工具（図示せず。）を差し込み、固定部材３１を前側へ押し出すようにする。このようにすれば、簡単に内側のガイドレール２８が取り外せ、新しいものとの交換作業も簡単かつ能率良く行なえると共に古くなって解体する場合にも簡単に外せ作業がし易い。
【００２０】
ガイドレール本体２８ａの上端部に、戻り球防止装置３５の本体部３５ａが一体成形により成形されている。この戻り球防止装置３５は、球飛走通路２９を通って球放出口３０を介して遊技部５ａに一旦打ち込まれたパチンコ球が、球飛走通路２９内に逆戻りするのを防止するためである。仮に、そのような事態が生ずると、打球発射部Ａから発射される次のパチンコ球と衝突してしまい正常な球飛び動作ができなくなってしまうからである。
【００２１】
戻り球防止装置３５は、その本体部３５ａと金属製の薄板からなる逆流防止片３６とから構成される。本体部３５ａは、ガイドレール本体２８ａ先端外側に遊技盤５面に当接する基板３７が設けられ、前面が開放する保持筒３８がその前面に突設される。該保持筒３８には、その外周面の上部一側に長手方向に沿って開口３９が設けられている。また、開口３９の近傍であって基板３７の前面に前記開口３９と平行な支持片４０が突設されている。前記逆流防止片３６は、弾力性を有し可撓性に優れ、その一端部に前記保持筒３８の内部に収容される筒状部４１が一体に設けられている。そこで、筒状部４１を保持筒３８内にその前側から挿入し、開口３９から引き出される逆流防止片３６を支持片４０に支持させる。前記基板３７の裏面には固定部材３１が一体に突設されている。
【００２２】
これにより、逆流防止片３６がほぼ垂直に起立して前記球放出口３０を遮ることになる。そこで、球飛走通路２９を飛走してくるパチンコ球は、逆流防止片３６を押しのけて遊技部５ａに打ち込まれるが、逆に、遊技部５ａから球飛走通路２９内に戻ろうとするパチンコ球は逆流防止片３６により跳ね返され、遊技盤５面を流下することになる。
【００２３】
このように、戻り球防止装置３５の本体部３５ａをガイドレール本体２８ａに一体成形により成形するようにすれば、内側のガイドレール２８を遊技盤５面に装着するのみで、同時に戻り球防止装置３５も取り付けられることになるので、従来のように戻り球防止装置３５を取付ける手間が省かれ、その位置調整も不要になるなど作業性が向上する。
【００２４】
一方、ガイドレール本体２８ａの下端部には、図７乃至図９に示すようにその後側縁に遊技盤５面に当接する飾り板部材４２が一体に張設される。この飾り板部材４２は、横長に成形されその一側縁部４２ａがガイドレール本体２８ａの下端部よりも側方へ突出している。そして、該飾り板部材４２に、前記遊技盤５に開設されたアウト球口２１と連通するアウト球連通口４３が開設される。このアウト球連通ロ４３の横幅は、パチンコ球が横に２個並んで通過できる程度に設定される。飾り板部材４２の裏側には、アウト球連通ロ４３の両側に位置して固定部材３１，３１が突設されている。
【００２５】
ガイドレール本体２８ａには、前記アウト球連通口４３と対応位置してパチンコ球を前記アウト球連通口４３に誘導する二条の平行な誘導溝４４，４４が並設される。両誘導溝４４，４４間の寸法は、それら誘導溝４４，４４内を流れるパチンコ球が互いに接触しないように設定される。これにより、遊技盤５面を流下するも入賞し得なかったパチンコ球は、寄せ集められてアウト球連通口４３からアウト球口２１へ排出されることになるが、アウト球連通口４３の前でいずれかの誘導溝４４に入って流れるので、互いに緩衝し合うことがなく円滑に流れる。よって、アウト球口２１に入るパチンコ球が押し合って球噛みを生じ、そのアウト球口２１付近で球詰りを起こす危険性もほとんどない。
【００２６】
内側のガイドレール２８が遊技盤５面に敷設された状態では、図８、図１０に示すように前記飾り板部材４２のガイドレール本体２８ａから側方へ突出する一側縁部４２ａが、遊技盤５面と窓開口４の外周縁となる基板部２３との間に成形される隙間４５内に介在し遊技盤５と基板部２３とにより挟着される。このように、一側縁部４２ａを挟着するのは、ガイドレール本体２８ａや飾り板部材４２に遊技盤５面を流下するパチンコ球が衝突して、取付孔３４から固定部材３１が少し抜けたり弛んだりし内側のガイドレール２８にガタツキが生じ、これにより遊技に支障を来たさないようにするためである。
【００２７】
本発明にあっては、内側のガイドレールを合成樹脂により成形した場合を説明したが、所謂遊技盤面に直接装着される外側のガイドレール、更にはこれら内側・外側ガイドレールの両方とも同時に合成樹脂材により成形するようにしても良い。
【図面の簡単な説明】
【００２８】
【図１】本発明に係るパチンコ遊技機の正面図。
【図２】遊技盤が装着された内枠の斜視図。
【図３】前枠と内枠と遊技盤とを分解した状態を示す斜視図。
【図４】内側のガイドレールを敷設した遊技盤の斜視図。
【図５】同取付部位の断面図。
【図６】同内側のガイドレールの上端部部位の斜視図。
【図７】同内側のガイドレールの下端部部位の分解斜視図。
【図８】同内側のガイドレールの下端部部位の正面図。
【図９】図８のＸ−Ｘ線断面図。
【図１０】図８のＹ−Ｙ線断面図。
【符号の説明】
【００２９】
５                    遊技盤
５ａ                  遊技部
１７                  入賞装置
２０                  風車
２１                  アウト球口
２５                  外側のガイドレール
２８                  内側のガイドレール
２８ａ                ガイドレール本体
３１                  固定部材
３４                  取付孔
３５                  戻り球防止装置
３５ａ                本体部
４２                  飾り板部材
４３                  アウト球連通ロ
４４                  誘導溝
Ｐ                    弾球遊技機（パチンコ遊技機）
【図１】
2005270119.tif 000003
【図２】
2005270119.tif 000004
【図３】
2005270119.tif 000005
【図４】
2005270119.tif 000006
【図５】
2005270119.tif 000007
【図６】
2005270119.tif 000008
【図７】
2005270119.tif 000009
【図８】
2005270119.tif 000010
【図９】
2005270119.tif 000011
【図１０】
2005270119.tif 000012